(57)【要約】【課題】他のガスでは代用の利きにくいガス漏れ警報器用の点検ガスを、無くしにくくしかも動作試験の際に直ぐに取り出せるように保管することのできるガス漏れ警報器の点検ガス容器保持構造を提供すること。【解決手段】ガス漏れ警報器２１，２１Ａ，２１Ｂのハウジング２２の側面２２ｅに、点検ガス容器１を吊り下げ支持させるための吊り下げフック２３を保持し、ガス漏れ検出用センサの動作試験用の点検ガスを収容した点検ガス容器１のシート状基材３に貫設された通孔９を吊り下げフック２３に挿通させて、点検ガス容器１をハウジング２２に吊り下げ状態で保管できるようにした。【選択図】      図１
2005050039.tif 000002
【特許請求の範囲】
【請求項１】
ガス漏れ警報器のハウジングの一面に、前記ガス漏れ警報器の動作試験用の点検ガスを収容した点検ガス容器が保持される保持部が形成されている、
ことを特徴とするガス漏れ警報器の点検ガス容器保持構造。
【請求項２】
前記ハウジングの一面に、前記点検ガス容器のシート状基材に貫設された通孔を挿通させて該点検ガス容器を吊り下げ支持させるための吊り下げフックが形成されており、該吊り下げフックにより前記保持部が構成されている請求項１記載のガス漏れ警報器の点検ガス容器保持構造。
【請求項３】
前記ハウジングの一面に、前記点検ガス容器が出し入れ可能に収納されるカップ状の収納ボックスが設けられており、該収納ボックスを含んで前記保持部が構成されている請求項１記載のガス漏れ警報器の点検ガス容器保持構造。
【請求項４】
前記収納ボックスは、前記ハウジングの一面に形成された吊り下げフックにより吊り下げ支持されており、該吊り下げフックを含んで前記保持部が構成されている請求項３記載のガス漏れ警報器の点検ガス容器保持構造。
【請求項５】
前記ハウジングの一面に、前記点検ガス容器が出し入れ可能に収納される収納凹部が形成されており、該収納凹部により前記保持部が構成されている請求項１記載のガス漏れ警報器の点検ガス容器保持構造。
【発明の詳細な説明】
【０００１】
【発明の属する技術分野】
本発明は、都市ガスやＬＰガスのガス漏れ警報器に係り、特に、動作試験用の点検ガスの保管のための構造に関する。
【０００２】
【従来の技術】
ガスを消費する家屋や店舗等に設置されるガス漏れ警報器には、一般に、設置直後や使用後定期的に行う動作試験用の点検ガスが付属品として提供されるが、この種の点検ガスを用いた動作試験は、ガス漏れ警報器のハウジングに点検ガスの容器を近づけて押しつぶし、容器内の点検ガスをハウジング内のセンサに向けて吹き付けることによって使用される（特許文献１乃至特許文献３）。
【０００３】
【特許文献１】
実開平５−５９５９４号公報
【特許文献２】
特開平１０−１７７００２号公報
【特許文献３】
実用新案登録第３００１０２２号公報
【０００４】
【発明が解決しようとする課題】
上述した点検ガスは、ガス漏れ警報器のセンサの性能や機能等に合わせて選択された専用のガスであり、他のどんなガスでも代用が利くというものではないため、付属品として提供された点検ガスを無くさないように保管し点検の際に直ぐに取り出せるようにしておくことは、非常に重要である。
【０００５】
しかし、上記した特許文献１乃至特許文献３の従来技術のように、点検ガスの容器はガス漏れ警報器のハウジングとは別体に設けられるものであることから、無くさないような場所を使用者自ら決めて保管しておく必要があり、また、ガス漏れ警報器が通常、壁の高所（都市ガス用）や低所（ＬＰガス用）の周りに障害物の少ない箇所に配置されることから、ガス漏れ警報器の近辺に点検ガスの保管場所を見つけることはなかなか困難である。
【０００６】
本発明は前記事情に鑑みなされたもので、本発明の目的は、他のガスでは代用の利きにくいガス漏れ警報器用の点検ガスを、無くしにくくしかも動作試験の際に直ぐに取り出せるように保管することのできるガス漏れ警報器の点検ガス容器保持構造を提供することにある。
【０００７】
【課題を解決するための手段】
前記目的を達成するため請求項１に記載した本発明のガス漏れ警報器の点検ガス容器保持構造は、ガス漏れ警報器のハウジングの一面に、前記ガス漏れ警報器の動作試験用の点検ガスを収容した点検ガス容器が保持される保持部が形成されていることを特徴とする。
【０００８】
また、請求項２に記載した本発明のガス漏れ警報器の点検ガス容器保持構造は、請求項１に記載した本発明のガス漏れ警報器の点検ガス容器保持構造において、前記ハウジングの一面に、前記点検ガス容器のシート状基材に貫設された通孔を挿通させて該点検ガス容器を吊り下げ支持させるための吊り下げフックが形成されており、該吊り下げフックにより前記保持部が構成されているものとした。
【０００９】
さらに、請求項３に記載した本発明のガス漏れ警報器の点検ガス容器保持構造は、請求項１に記載した本発明のガス漏れ警報器の点検ガス容器保持構造において、前記ハウジングの一面に、前記点検ガス容器が出し入れ可能に収納されるカップ状の収納ボックスが設けられており、該収納ボックスを含んで前記保持部が構成されているものとした。
【００１０】
また、請求項４に記載した本発明のガス漏れ警報器の点検ガス容器保持構造は、請求項３に記載した本発明のガス漏れ警報器の点検ガス容器保持構造において、前記収納ボックスが、前記ハウジングの一面に形成された吊り下げフックにより吊り下げ支持されており、該吊り下げフックを含んで前記保持部が構成されているものとした。
【００１１】
さらに、請求項５に記載した本発明のガス漏れ警報器の点検ガス容器保持構造は、請求項１に記載した本発明のガス漏れ警報器の点検ガス容器保持構造において、前記ハウジングの一面に、前記点検ガス容器が出し入れ可能に収納される収納凹部が形成されており、該収納凹部により前記保持部が構成されているものとした。
【００１２】
請求項１に記載した本発明のガス漏れ警報器の点検ガス容器保持構造によれば、ガス漏れ警報器のハウジングの保持部に点検ガス容器を保持させることで、ガス漏れ警報器のハウジングに点検ガスが保管されることになる。
【００１３】
また、請求項２に記載した本発明のガス漏れ警報器の点検ガス容器保持構造によれば、請求項１に記載した本発明のガス漏れ警報器の点検ガス容器保持構造において、点検ガス容器のシート状基材に貫設された通孔に、ガス漏れ警報器のハウジングの一面に設けられた吊り下げフックを挿入することで、点検ガスがガス漏れ警報器のハウジングに吊り下げ状態で保管されることになる。
【００１４】
さらに、請求項３に記載した本発明のガス漏れ警報器の点検ガス容器保持構造によれば、請求項１に記載した本発明のガス漏れ警報器の点検ガス容器保持構造において、カップ状の収納ボックスに点検ガス容器を収納することで、点検ガスがガス漏れ警報器のハウジングに保管されることになる。
【００１５】
また、請求項４に記載した本発明のガス漏れ警報器の点検ガス容器保持構造によれば、請求項３に記載した本発明のガス漏れ警報器の点検ガス容器保持構造において、カップ状の収納ボックスを、ガス漏れ警報器のハウジングの一面に設けられた吊り下げフックに吊り下げ支持させることで、点検ガスを保管するための収納ボックスがガス漏れ警報器のハウジングに取り付けられることになる。
【００１６】
さらに、請求項５に記載した本発明のガス漏れ警報器の点検ガス容器保持構造によれば、請求項１に記載した本発明のガス漏れ警報器の点検ガス容器保持構造において、ガス漏れ警報器のハウジングの一面に設けられた収納凹部に点検ガス容器を収納することで、点検ガスがガス漏れ警報器のハウジングに保管されることになる。
【００１７】
【発明の実施の形態】
以下、本発明のガス漏れ警報器の点検ガス容器保持構造を、図面を参照して説明する。
【００１８】
図１は本発明の第１実施形態に係る保持構造を適用したガス漏れ警報器の斜視図であり、図１中引用符号２１で示す本実施形態のガス漏れ警報器は、前面２２ａにガス導入窓２２ｂ，２２ｂと正常、異常の各インジケータ２２ｃ，２２ｄとを有するハウジング２２の側面２２ｅに、先端が上向きに折曲された略Ｌ字状の吊り下げフック２３（請求項中の保持部に相当）を突設して構成されている。
【００１９】
このガス漏れ警報器２１のハウジング２２内に、ガス導入窓２２ｂ，２２ｂに臨むように収容された不図示のガス漏れ検出用センサの動作試験の際に使用される点検ガスは、図２に斜視図で示す点検ガス容器１に封入されている。
【００２０】
この点検ガス容器１は、詳しくは、図３に断面図で示すように、カップ状のポケット部３ａが一体成形された、例えば、ポリエチレンやポリプロピレン等の透明材料からなる可撓性樹脂製のシート状基材３と、このシート状基材３上に積層されてポケット部３ａの開口部３ｂを開封可能に封止する、例えばアルミ箔のように手で容易に引き裂いたり、容易に開封したりできる材質の可裂性のフィルム５とを備えている。
【００２１】
そして、ポケット部３ａと、このポケット部３ａの開口部３ｂを封止しているフィルム５とにより、密閉空間７が画成されており、この密閉空間７内に、アルコール等の気化した点検ガス、もしくは、アルコール等の点検ガスをゲル状にしたもの（いずれも図示せず）が、動作試験の１回分だけ充填、収容されている。
【００２２】
尚、点検ガス容器１の密閉空間７への点検ガスの充填、収容は、例えば、点検ガスの気化温度未満の温度環境下において、シート状基材３上へのフィルム５の積層前に液状の点検ガスをポケット部３ａに入れておくことによって、実行することができる。
【００２３】
また、図２及び図３に示すように、点検ガス容器１には、シート状基材３のうちポケット部３ａを除くシート状基材３の平坦部分３ｃと、これに積層されたフィルム５とを貫通するように、通孔９が形成されている。
【００２４】
この通孔９は、図１に示すガス漏れ警報器２１の側面２２ｅの吊り下げフック２３が挿入可能な寸法で形成されている。
【００２５】
このように構成された点検ガス容器１は、ポケット部３ａを密閉空間７の内部側に押し込みながらポケット部３ａの開口部３ｂを拡開させる等して、図４に断面図で示すように、開口部３ｂを封止しているフィルム５を引き裂くことで、密閉空間７内に充填、収容された不図示の点検ガスを外部に放出させるように使用される。
【００２６】
したがって、ガス漏れ警報器２１の不図示のガス漏れ検出用センサの動作試験は、ガス導入窓２２ｂ，２２ｂに点検ガス容器１を近づけた状態で、開口部３ｂを封止しているフィルム５を上記のように引き裂き、内部の点検ガスをガス導入窓２２ｂ，２２ｂからハウジング２２の内部に向けて放出させることによって行うことになる。
【００２７】
以上のように構成された本実施形態のガス漏れ警報器２１によれば、図５に斜視図で示すように、点検ガス容器１の通孔９に側面２２ｅの吊り下げフック２３を挿入して吊り下げフック２３に吊り下げることで、未使用の点検ガス容器１をハウジング２２において保管することができる。
【００２８】
次に、図６は本発明の第２実施形態に係る保持構造を適用したガス漏れ警報器の斜視図であり、図６中引用符号２１Ａで示す本実施形態のガス漏れ警報器は、ハウジング２２の側面２２ｅに、第１実施形態のガス漏れ警報器２１の吊り下げフック２３に代えて上方に開口されたカップ状の収納ボックス２５（請求項中の保持部に相当）を取着した点を除いて、第１実施形態のガス漏れ警報器２１と同様に構成されている。
【００２９】
そして、第２実施形態のガス漏れ警報器２１Ａの不図示のガス漏れ検出用センサの動作試験の際に使用される点検ガスは、図７に斜視図で示す点検ガス容器１１に封入されている。
【００３０】
この点検ガス容器１１は、先に説明した点検ガス容器１のシート状基材３と同様に、例えば、ポリエチレンやポリプロピレン等の透明材料からなる可撓性樹脂製の、一端が閉塞されたカップ部材１３を一対備えており、一方のカップ部材１３の開放端１３ａからその内部に他方のカップ部材１３の開放端１３ａを挿入して、両カップ部材１３，１３の開放端１３ａ，１３ａどうしを互いに重ね合わせることで、両カップ部材１３，１３を連結したカプセル１５を形成するように構成されている。
【００３１】
そして、上記のようにして形成したカプセル１５の内部の密閉空間１７内に、アルコール等の気化した点検ガス、もしくは、アルコール等の点検ガスをゲル状にしたもの（いずれも図示せず）が、動作試験の１回分だけ充填、収容されている。
【００３２】
尚、点検ガス容器１１の密閉空間１７への点検ガスの充填、収容は、例えば、一方のカップ部材１３の開放端１３ａの内部に他方のカップ部材１３の開放端１３ａを挿入する前に、他方のカップ部材１３に液状の点検ガスを入れておくことによって、実行することができる。
【００３３】
以上のように構成された点検ガス容器１１は、図８に斜視図で示すように、一方のカップ部材１３の開放端１３ａの内側に挿入された他方のカップ部材１３の開放端１３ａを、密閉空間７の内部側に押し込みながら撓ませて、一方のカップ部材１３の開放端１３ａとの間に隙間を形成することで、密閉空間１７内に充填、収容された不図示の点検ガスを外部に放出させるように使用される。
【００３４】
したがって、ガス漏れ警報器２１の不図示のガス漏れ検出用センサの動作試験は、ガス導入窓２２ｂ，２２ｂにカプセル１５を近づけた状態で、他方のカップ部材１３の開放端１３ａを内側に撓ませることで、内部の点検ガスをガス導入窓２２ｂ，２２ｂからハウジング２２の内部に向けて放出させることによって行うことになる。
【００３５】
以上のように構成された本実施形態のガス漏れ警報器２１Ａによれば、図９に斜視図で示すように、収納ボックス２５にカプセル１５を収納することで、未使用の点検ガス容器１１をハウジング２２において保管することができる。
【００３６】
ちなみに、図１に示す吊り下げフック２３を利用し、収納ボックス２５をガス漏れ警報器２１Ａの側面２２ｅに吊り下げて取り付けるようにしてもよく、その場合には、吊り下げフック２３と収納ボックス２５とにより請求項中の保持部が構成されることになる。
【００３７】
そして、そのように構成すれば、収納ボックス２５を吊り下げフック２３に取り付けたり外したりして、収納可能な点検ガス容器１，１１のバリエーションを拡げることができる。
【００３８】
次に、図１０は本発明の第３実施形態に係る保持構造を適用したガス漏れ警報器の斜視図であり、図１０中引用符号２１Ｂで示す本実施形態のガス漏れ警報器は、ハウジング２２の側面２２ｅに、第１実施形態のガス漏れ警報器２１の吊り下げフック２３や第２実施形態のガス漏れ警報器２１Ｂの収納ボックス２５に代えて、図２に示す点検ガス容器１に対応する外形と深さの収納凹部２７（請求項中の保持部に相当）を形成した点を除いて、第１実施形態や第２実施形態のガス漏れ警報器２１，２１Ａと同様に構成されている。
【００３９】
そして、収納凹部２７の開口縁の左右下半部には、脱落防止用の膨出部２７ａ，２７ａが各々形成されており、同様の膨出部２７ａが、収納凹部２７の開口縁下部にも形成されている。
【００４０】
以上のように構成された本実施形態のガス漏れ警報器２１Ｂによれば、図１１に斜視図で示すように、膨出部２７ａ，２７ａの形成されていない収納凹部２７の上側部分に点検ガス容器１を挿入し、点検ガス容器１の下端が収納凹部２７の下面に当接するまで押し下げて、左右及び下の各膨出部２７ａ，２７ａ，２７ａにより手前側への脱落が防止された状態で、点検ガス容器１が収納凹部２７に収納することで、未使用の点検ガス容器１をハウジング２２において保管することができる。
【００４１】
尚、第２実施形態のガス漏れ警報器２１Ａの収納ボックス２５は、図２に示す点検ガス容器１を収納するのに用いてもよく、また、第３実施形態のガス漏れ警報器２１Ｂの収納凹部２７に収納する点検ガス容器１は、ガス漏れ警報器２１の吊り下げフック２３を挿入可能な寸法で通孔９を形成していないものであってもよく、或は、通孔９を省略したものであってもよい。
【００４２】
また、収納凹部２７の外形と深さは点検ガス容器１に対応するものでなくてもよく、例えば、図７に示す点検ガス容器１１に対応した外形と深さで形成して、この点検ガス容器１１を収納する構成としてもよい。
【００４３】
さらに、収納凹部２７を形成するのは、ハウジング２２の側面２２ｅでなく正面２２ａや背面（図示せず）であってもよいが、美観の点で正面２２ａよりも側面２２ｅや背面の方が好ましく、点検ガス容器１，１１の取り出し易さの点から背面よりも側面２２ｅや正面２２ａの方が好ましく、両方を考慮すると、第３実施形態のように側面２２ｅに形成するのが有利であると言える。
【００４４】
また、収納凹部２７は点検ガス容器１，１１が一部外側にはみ出て収納されるようなものであってもよいが、第３実施形態のガス漏れ警報器２１Ｂのように、点検ガス容器１，１１が外側にはみ出ないように収納されるようなものとする方が、美観の点で有利であると共に、ガス漏れ警報器２１Ｂが壁の低所に配置されるＬＰガス用のものである場合は特に、収納凹部２７から外側にはみ出た点検ガス容器１，１１に接触してこれを損傷させてしまう心配が無くなる点でも有利である。
【００４５】
さらに、上述した第１乃至第３の実施形態では、ガス漏れ検出用センサの動作試験の１回分の点検ガスを充填、収容した点検ガス容器１，１１を収納するようにした構成についてのみ説明したが、収納する点検ガスの量が動作試験の複数回分である点検ガス容器を収納するように構成したガス漏れ警報器であっても、本発明の実施形態たり得ることは言うまでもない。
【００４６】
【発明の効果】
以上説明したように請求項１に記載した本発明のガス漏れ警報器の点検ガス容器保持構造によれば、ガス漏れ警報器のハウジングの保持部に点検ガス容器を保持させることで、ガス漏れ警報器のハウジングに点検ガスが保管されるようにして、他のガスでは代用の利きにくいガス漏れ警報器用の点検ガスを、無くしにくくしかも動作試験の際に直ぐに取り出せるように保管することができる。
【００４７】
尚、ガス漏れ警報器のハウジングによる点検ガスの保管は、請求項２に記載した本発明のガス漏れ警報器の点検ガス容器保持構造のように、点検ガス容器のシート状基材に貫設された通孔に、ガス漏れ警報器のハウジングの一面に設けられた吊り下げフックを挿入したり、請求項３に記載した本発明のガス漏れ警報器の点検ガス容器保持構造のように、カップ状の収納ボックスに点検ガス容器を収納したり、請求項５に記載した本発明のガス漏れ警報器の点検ガス容器保持構造のように、ガス漏れ警報器のハウジングの一面に設けられた収納凹部に点検ガス容器を収納することで、容易に実現することができる。
【００４８】
また、請求項４に記載した本発明のガス漏れ警報器の点検ガス容器保持構造によれば、請求項３に記載した本発明のガス漏れ警報器の点検ガス容器保持構造において、カップ状の収納ボックスを、ガス漏れ警報器のハウジングの一面に設けられた吊り下げフックへの吊り下げ支持によりガス漏れ警報器のハウジングに取り付けられるようにして、収納ボックスの着脱により、バリエーションに応じて点検ガス容器の保管形態を選ぶことができる。
【図面の簡単な説明】
【図１】本発明の第１実施形態に係る保持構造を適用したガス漏れ警報器の斜視図である。
【図２】図１のガス漏れ警報器のハウジングに保管される点検ガス容器の斜視図である。
【図３】図２の点検ガス容器の断面図である。
【図４】図３の密閉空間から点検ガスを外部に放出させる際のフィルムの引き裂き状態を示す断面図である。
【図５】図２及び図３の点検ガス容器を図１のガス漏れ警報器により吊り下げ支持した状態を示す斜視図である。
【図６】本発明の第２実施形態に係る保持構造を適用したガス漏れ警報器の斜視図である。
【図７】図６のガス漏れ警報器のハウジングに保管される点検ガス容器の斜視図である。
【図８】図７の密閉空間から点検ガスを外部に放出させる際のカップ部材の変形状態を示す斜視図である。
【図９】図７及び図８の点検ガス容器を図６のガス漏れ警報器の収納ボックスに収納した状態を示す斜視図である。
【図１０】本発明の第３実施形態に係る保持構造を適用したガス漏れ警報器の斜視図である。
【図１１】図２及び図３の点検ガス容器を図１０のガス漏れ警報器の収納凹部に収納する際の動作を説明する斜視図である。
【符号の説明】
１，１１  点検ガス容器
３  シート状基材
９  通孔
２１，２１Ａ，２１Ｂ  ガス漏れ警報器
２２  ハウジング
２２ｅ  ハウジング側面（ハウジングの一面）
２３  吊り下げフック（保持部）
２５  収納ボックス（保持部）
２７  収納凹部（保持部）
【図１】
2005050039.tif 000003
【図２】
2005050039.tif 000004
【図３】
2005050039.tif 000005
【図４】
2005050039.tif 000006
【図５】
2005050039.tif 000007
【図６】
2005050039.tif 000008
【図７】
2005050039.tif 000009
【図８】
2005050039.tif 000010
【図９】
2005050039.tif 000011
【図１０】
2005050039.tif 000012
【図１１】
2005050039.tif 000013